(57)【要約】  少なくとも１つの例示的な実施形態は、メモリとプロセッサとを含むネットワーク制御エンティティを開示する。プロセッサは、ユーザ機器（ＵＥ）が、第１のベアラ経路を有する第１のデータ送信モードにあり、ゲートウェイが、第２の送信モードに関連付けられたＵＥのためのダウンリンク・ユーザ・プレーン・データを有しているのであれば、第１のメッセージをゲートウェイから受信することであって、第１のメッセージは、ＵＥにサービス提供する基地局を特定する、受信することと、このサービス提供基地局へページ要求を送信することであって、ページ要求は、ＵＥを特定し、サービス提供基地局に対して、ＵＥのための第２のデータ送信モードへの移行を開始するように指示し、第２のデータ送信モードは、ＵＥとネットワークとの間の第２のベアラ経路を含み、第２のベアラ経路と第１のベアラ経路とは異なる、送信することと、を実行するように構成される。【特許請求の範囲】
【請求項１】
ネットワーク制御エンティティであって、
メモリ（５５６）と、
プロセッサ（５５８）とを備え、前記プロセッサ（５５８）は、
ユーザ機器（１０５）（ＵＥ）が第１のベアラ経路を有する第１のデータ送信モードにあり、ゲートウェイが、第２の送信モードに関連付けられた前記ＵＥ（１０５）のためのダウンリンク・ユーザ・プレーン・データを有しているのであれば、前記ゲートウェイから第１のメッセージを受信することであって、前記第１のメッセージは、前記ＵＥにサービス提供する基地局（１１０）を特定する、受信することと、
前記サービス提供基地局（１１０）へページ要求を送信することであって、前記ページ要求は、前記ＵＥ（１０５）を特定し、前記サービス提供基地局（１１０）に対して、前記ＵＥ（１０５）のために、前記第１のデータ送信モードから前記第２のデータ送信モードへの移行を開始するように指示し、前記第２のデータ送信モードは、前記ＵＥ（１０５）とネットワークとの間に第２のベアラ経路を含み、前記第２のベアラ経路と前記第１のベアラ経路は異なり、両ベアラ経路は、前記移行後に、前記第２のデータ送信モードで動作する、送信することと、
を実行するように構成される、ネットワーク制御エンティティ。
【請求項２】
前記プロセッサ（５５８）は、前記サービス提供基地局（１１０）のみへ前記ページ要求を送信するように構成された、請求項１に記載のネットワーク制御エンティティ。
【請求項３】
前記第１のメッセージは、ダウンリンク・データ通知（ＤＤＮ）メッセージである、請求項１に記載のネットワーク制御エンティティ。
【請求項４】
前記ページ要求は、前記サービス提供基地局（１１０）に対して、前記第１のデータ送信モードのために確立された、前記ＵＥと前記サービス提供基地局（１１０）との間の既存のベアラ経路を介して、前記第２のデータ送信モードへ移行するように前記ＵＥに指示させるように構成された、請求項１に記載のネットワーク・エンティティ。
【請求項５】
前記ページ要求は、前記サービス提供基地局（１１０）に、前記第１のデータ送信モードに関連付けられたベアラを解放するように前記ＵＥに対して指示させるように構成された、請求項１に記載のネットワーク制御エンティティ。
【請求項６】
前記ページ要求は、前記サービス提供基地局（１１０）に、前記第１のデータ送信モードに関連付けられたラジオ・リソース制御（ＲＲＣ）シグナリング接続を解放するように前記ＵＥに対して指示させるように構成された、請求項５に記載のネットワーク制御エンティティ。
【請求項７】
前記ページ要求は、前記第１のデータ送信モードのために使用される前記ＲＲＣシグナリング接続を解放するためのＲＲＣ接続解放要求を、前記ＵＥに対して前記第２のデータ送信モードのための新たなＲＲＣシグナリング接続を確立することを要求するインジケーションと共に送信することによって、前記サービス提供基地局（１１０）に、前記第２のデータ送信モードへ移行するように前記ＵＥに対して指示させるように構成され、前記インジケーションは前記ＵＥのみに送信される、請求項６に記載のネットワーク・エンティティ。
【請求項８】
前記第２のデータ送信モードは、前記サービス提供基地局（１１０）と前記ネットワーク制御エンティティとの間の制御プレーンを含む、請求項１に記載のネットワーク制御エンティティ。
【請求項９】
前記ネットワーク制御エンティティは、モビリティ管理エンティティ（ＭＭＥ）またはサービス提供ＧＰＲＳサポート・ノード（ＳＧＳＮ）であり、前記ゲートウェイはＳＧＷ（サービス提供ゲートウェイ）であり、前記基地局（１１０）はｅＮｏｄｅＢまたはＲＮＣである、請求項１に記載のネットワーク制御エンティティ。
【請求項１０】
ユーザ機器（ＵＥ）であって、
メモリ（５３０）と、
プロセッサ（５４０）とを備え、前記プロセッサ（５４０）は、
アプリケーションが、第２のデータ送信モードを要求するアップリンク・データ送信を開始すると、第１のデータ送信モードから前記第２のデータ送信モードへ移行し、
サービス提供基地局（１１０）に対して、前記ＵＥと前記サービス提供基地局（１１０）との間の既存のベアラを介して前記第１のデータ送信モードから前記第２の送信モードへ移行するように指示するように構成され、前記第１のデータ送信モードは第１のベアラ経路を有し、前記第２のデータ送信モードは第２のベアラ経路を有し、前記第１および第２のベアラ経路は異なる、ユーザ機器。
【発明の詳細な説明】
【技術分野】
【０００１】
実施形態は、ワイヤレス・デバイスのためのコア・ネットワークにおけるベアラ・アクティベーション（再アクティベーション）に関する。
【背景技術】
【０００２】
エボルブド・パケット・システム（ＥＰＳ）ネットワークは、たとえば、Ｅ−ＵＴＲＡＮと呼ばれるラジオ・アクセス・ネットワーク（ＲＡＮ）によってアクセスされ得るＥＰＣ（エボルブド・パケット・コア）と呼ばれるコア・ネットワークを含む。
【０００３】
（ＩＰ接続のような）パケット・データ・ネットワーク（ＰＤＮ）接続は、ＥＰＳネットワークを介して、ユーザ機器ＵＥと（ＩＰネットワークのような）外部ＰＤＮとの間に確立され得る。ＥＰＳネットワークにおけるＰＤＮ接続のためのトラフィックは、ベアラ（または、ネットワークの至る所にあり、ネットワークの異なるインターフェースを介して、前記トラフィックのために割り当てられたネットワーク・リソース）の概念に基づいてサポートされる。手順は、このようなベアラを、異なるネットワークのインターフェースを介して、および異なるネットワークのノードにおいて関連付けられたコンテキストを介して管理するために定義される。たとえばＧＰＲＳ／ＵＭＴＳのように、ＥＰＳ以外のシステムに同様な概念がある。
【発明の概要】
【０００４】
３ＧＰＰは、Ｓ１−ＭＭＥ（モビリティ・マネジメント・エンティティ）制御プレーン接続を確立することなく、ユーザ・プレーンを介してデータを送信する能力を研究している。これは「無接続データ送信」と呼ばれ、３ＧＰＰ  ＴＲ  ２３．８８７，Ｍａｃｈｉｎｅ−Ｔｙｐｅ  ａｎｄ  ｏｔｈｅｒ  Ｍｏｂｉｌｅ  Ｄａｔａ  Ａｐｐｌｉｃａｔｉｏｎｓ  Ｃｏｍｍｕｎｉｃａｔｉｏｎｓ  Ｅｎｈａｎｃｅｍｅｎｔｓ，セクション５．１．１．３．６．３，リリース１２（２０１３年６月）に記載されている。ＵＥは、この「無接続」データ送信モードにおいて確立され得る、割り当てられたいくつかのベアラを有し得る一方、他のベアラは、３ＧＰＰにおいて定義されたような「接続」データ送信モードを用いる。
【０００５】
ＵＥが、許可されたベアラについて無接続モードにある間、ダウンリンク（ＤＬ）データまたはアップリンク（ＵＬ）データが、接続モードで、別のデータ・ベアラ上で送信されるべきであれば、無接続セッションは、両ベアラを介した接続モード・データ送信を提供する接続モードへ移行されるべきである。少なくとも１つの例示的な実施形態は、無接続モードと接続モードとの間の移行の方法を開示する。
【０００６】
少なくとも１つの例示的な実施形態は、メモリとプロセッサを含むネットワーク制御エンティティを開示する。プロセッサは、ユーザ機器（ＵＥ）が、第１のベアラ経路を有する第１のデータ送信モードにあり、ゲートウェイが、第２の送信モードに関連付けられたＵＥのためのダウンリンク・ユーザ・プレーン・データを有しているのであれば、ゲートウェイから第１のメッセージを受信することであって、第１のメッセージは、ＵＥにサービス提供する基地局を特定する、受信することと、このサービス提供基地局へページ要求を送信することであって、ページ要求は、ＵＥを特定し、サービス提供基地局に対して、ＵＥのために、第２のデータ送信モードへの移行を開始するように指示し、第２のデータ送信モードは、ＵＥとネットワークとの間の第２のベアラ経路を含み、第２のベアラ経路と第１のベアラ経路は異なり、両ベアラ経路は、移行後に、第２のデータ送信モードで動作する、送信することと、を実行するように構成される。
【０００７】
例示的な一実施形態では、プロセッサは、サービス提供基地局のみへページ要求を送信するように構成される。
【０００８】
例示的な一実施形態では、第１のメッセージは、ダウンリンク・データ通知（ＤＤＮ）メッセージである。
【０００９】
例示的な一実施形態では、ページ要求は、サービス提供基地局に対して、第１のデータ送信モードのために確立された、ＵＥとサービス提供基地局との間の既存のベアラ経路を介して、第２のデータ送信モードに移行するようにＵＥに指示させるように構成される。
【００１０】
例示的な一実施形態では、ページ要求は、サービス提供基地局に、第１のデータ送信モードに関連付けられたベアラを解放するようにＵＥに対して指示させるように構成される。
【００１１】
例示的な一実施形態では、ページ要求は、サービス提供基地局に、第１のデータ送信モードに関連付けられたラジオ・リソース制御（ＲＲＣ）シグナリング接続を解放するようにＵＥに対して指示させるように構成される。
【００１２】
例示的な一実施形態では、ページ要求は、第１のデータ送信モードのために使用されるＲＲＣシグナリング接続を解放するためのＲＲＣ接続解放要求を、ＵＥに対して第２のデータ送信モードのための新たなＲＲＣシグナリング接続を確立することを要求するインジケーションと共に送信することによって、サービス提供基地局に、第２のデータ送信モードへ移行するようにＵＥに対して指示させるように構成される。このインジケーションはＵＥだけに送信される。
【００１３】
例示的な一実施形態では、第２のデータ送信モードは、サービス提供基地局とネットワーク制御エンティティとの間に制御プレーンを含んでいる。
【００１４】
例示的な一実施形態では、ネットワーク制御エンティティは、モビリティ管理エンティティ（ＭＭＥ）またはサービス提供ＧＰＲＳサポート・ノード（ＳＧＳＮ）であり、ゲートウェイは、ＳＧＷ（サービス提供ゲートウェイ）であり、基地局は、ｅＮｏｄｅＢまたはＲＮＣである。
【００１５】
少なくとも１つの例示的な実施形態は、メモリとプロセッサを含むユーザ機器（ＵＥ）を開示する。プロセッサは、アプリケーションが、第２のデータ送信モードを要求するアップリンク・データ送信を開始すると、第１のデータ送信モードから第２のデータ送信モードへ移行し、サービス提供基地局に対して、ＵＥとサービス提供基地局との間の既存のベアラを介して第２のデータ送信モードへ移行するように指示するように構成され、第１のデータ送信モードは、第１のベアラ経路を有し、第２のデータ送信モードは、第２のベアラ経路を有し、第１および第２のベアラ経路は異なり、両ベアラ経路は、移行後に第２のモードで動作する。
【００１６】
例示的な一実施形態では、プロセッサは、第１のデータ送信モードのための既存のラジオ・リソース制御（ＲＲＣ）シグナリング接続を解放させ、新たなラジオ・リソース制御（ＲＲＣ）シグナリング接続を、第２のデータ送信モードのために確立させる、ように構成される。
【００１７】
例示的な一実施形態では、プロセッサは、第２のデータ送信モードへの移行を示すインジケーションと共に、第１のデータ送信モードのための既存のＲＲＣシグナリング接続の解放を要求するＲＲＣシグナリング接続解放要求をサービス提供基地局へ送信するように構成される。
【００１８】
例示的な一実施形態では、この解放要求は、サービス提供基地局に対して、第１のデータ送信モードにおけるＵＥに関連付けられたセッション・リソースをクリアさせるように構成される。
【００１９】
例示的な一実施形態では、この解放要求は、サービス提供基地局に対して、移行が完了するまでゲートウェイがさらなるあらゆるダウンリンク・ユーザ・データをバッファするように、ゲートウェイへ移行を通知させるように構成される。
【００２０】
例示的な一実施形態では、プロセッサは、ＵＥにおけるローカルな第１のデータ送信モードのための既存のＲＲＣシグナリング接続を解放するように構成される。
【００２１】
例示的な一実施形態では、ＵＥは、既存のＲＲＣシグナリング接続の解放後、第２のデータ送信モードへ移行するためのＲＲＣシグナリング接続確立要求を送信するように構成される。
【００２２】
例示的な一実施形態では、プロセッサは、ＵＥに対して、第１のデータ送信モードに関連付けられたベアラを、アクティベートされる必要のある、第２のデータ送信モードでベアラをアクティベートしている間、第２のデータ送信モードに関連付けられたベアラへ再設定させるように構成される。
【００２３】
少なくとも１つの例示的な実施形態は、メモリとプロセッサとを含むユーザ機器（ＵＥ）を開示する。プロセッサは、ゲートウェイが、第２の送信モードに関連付けられたＵＥのためのダウンリンク・ユーザ・プレーン・データを有すると、第１のデータ送信モードから第２のデータ送信モードへ移行するように構成される。この移行は、ネットワーク制御エンティティが、ゲートウェイから第１のメッセージを受信することに基づき、第１のメッセージは、ＵＥにサービス提供する基地局を特定し、ネットワーク制御エンティティは、サービス提供基地局へページ要求を送信し、ページ要求は、ＵＥを特定し、サービス提供基地局に対して、ＵＥのための第２のデータ送信モードへの移行を開始するように指示し、第２のデータ送信モードは、ＵＥとネットワークとの間の第２のベアラ経路を含み、第２のベアラ経路と第１のベアラ経路とは異なり、両ベアラ経路は、移行後、第２のデータ送信モードで動作する。
【００２４】
少なくとも１つの例示的な実施形態は、ワイヤレス・セッションにおいて、モード間の切り換えを開始するための方法を開示する。この方法は、ユーザ機器（ＵＥ）が第１のベアラ経路を有する第１のモードにあるのであれば、ゲートウェイから第１のメッセージを受信することであって、第１のメッセージは、ＵＥのサービス提供基地局を特定する、受信することと、サービス提供基地局へページ要求を送信することであって、ページ要求は、ＵＥを特定し、サービス提供基地局に対して、ＵＥのための第２のモードへの移行を開始するように指示し、第２のモードは、ＵＥとネットワーク制御エンティティとの間の第２のベアラ経路を含み、第２のベアラ経路と第１のベアラ経路は異なる、送信することと、を含む。
【００２５】
例示的な一実施形態では、プロセッサは、サービス提供基地局のみに、ページ要求を送信するように構成される。
【００２６】
例示的な一実施形態では、第１のメッセージは、ダウンリンク・データ通知（ＤＤＮ）メッセージである。
【００２７】
例示的な一実施形態では、ページ要求は、ＵＥに対して、第１のモードに関連付けられたベアラを解放させるように構成される。
【００２８】
例示的な一実施形態では、ページ要求は、ＵＥに対して、第１のモードに関連付けられたラジオ・リソース制御（ＲＲＣ）シグナリングを解放させるように構成される。
【００２９】
例示的な一実施形態では、ページ要求は、サービス提供基地局に、ＵＥとサービス提供基地局との間の既存のベアラを介して第２のモードへ移行するようにＵＥに対して指示させるように構成される。
【００３０】
例示的な一実施形態では、第２のモードは、サービス提供基地局とネットワーク・エンティティとの間に制御プレーンを含んでいる。
【００３１】
少なくとも１つの例示的な実施形態は、メモリとプロセッサとを含むネットワーク制御エンティティを開示する。プロセッサは、ユーザ機器（ＵＥ）のアプリケーションが、第２のデータ送信モードを要求するアップリンク・データ送信を開始すると、ＵＥの第１のデータ送信モードからＵＥの第２のデータ送信モードへの移行を制御し、ＵＥとサービス提供基地局との間の既存のベアラを介して第２のデータ送信モードへ移行するようにＵＥのサービス提供基地局を制御するように構成され、第１のデータ送信モードは、第１のベアラ経路を有し、第２のデータ送信モードは、第２のベアラ経路を有し、第１および第２のベアラ経路は異なる。
【００３２】
少なくとも１つの例示的な実施形態は、メモリとプロセッサとを含むユーザ機器（ＵＥ）を開示する。プロセッサは、第１のデータ送信モードに関連付けられたラジオ・リソース制御（ＲＲＣ）シグナリング接続を解放する要求を、サービス提供基地局から受信し、この解放する要求に基づいて、第１のデータ送信モードから第２のデータ送信モードへ移行するように構成される。
【００３３】
例示的な実施形態は、添付図面と共に考慮された以下の詳細記載からより明確に理解されるであろう。図１〜図５Ｂは、本明細書に記載されたような限定しない例示的な実施形態を表す。
【図面の簡単な説明】
【００３４】
【図１】例示的な一実施形態に従うワイヤレス・デバイスのためのネットワークを例示する図である。
【図２】３ＧＰＰ  ＴＲ  ２３．８８７に記載されたような接続モードのためのサービス要求手順を例示する図である。
【図３】無接続モードのため３ＧＰＰ  ＴＲ  ２３．８８７に記載されているようなサービス要求手順を例示する図である。
【図４】例示的な一実施形態に従って無接続モードから接続モードへ切り換える方法を例示する図である。
【図５Ａ】図１におけるＵＥの例示的な一実施形態を例示する図である。
【図５Ｂ】図１におけるネットワーク制御エンティティ（たとえば、ＭＭＥ）の例示的な一実施形態を例示する図である。
【発明を実施するための形態】
【００３５】
以下、様々な例示的な実施形態が、いくつかの例示的な実施形態が例示されている添付図面を参照して、より十分に説明されるであろう。
【００３６】
したがって、例示的な実施形態が、様々な修正および代替的な形態で可能である一方、それらの実施形態は、これら図面において例として図示されており、本明細書において詳細に記載されるであろう。しかしながら、例示的な実施形態を、開示された特定の形態に限定する意図はないが、逆に、例示的な実施形態は、請求項の範囲内にあるすべての修正、均等物、および変形をカバーするべきであることが理解されるべきである。同一付番が、図面の説明の全体にわたって同一要素を示す。
【００３７】
第１、第２等の用語は、様々な要素を記載するために本明細書で使用され得るが、これら要素は、これら用語によって限定されるべきではないことが理解されるであろう。これらの用語は、１つの要素を別の要素と区別するためにのみ使用される。たとえば、例示的な実施形態の範囲から逸脱することなく、第１の要素が、第２の要素と称され得るし、同様に、第２の要素が第１の要素と称され得る。本明細書で使用されるように、「および／または」という用語は、関連付けられリストされた項目のうちの１つまたは複数のうちの何れかおよびすべての組合せを含む。
【００３８】
要素が別の要素に「接続」または「結合」されていると称されている場合、それは、他の要素へ直接的に接続または結合され得るか、または、介在する要素が存在し得ることが理解されるであろう。対照的に、要素が別の要素に「直接的に接続」または「直接的に結合」されていると称される場合、介在する要素が存在しない。要素間の関係を記載するために使用される他の用語（たとえば、「〜の間」と「直接的に〜の間」、および、「隣接する」と「直接的に隣接する」等）は、同様に解釈されるべきである。
【００３９】
本明細書において使用される専門用語は、単に特定の実施形態を記載する目的のために過ぎず、例示的な実施形態を限定することは意図されていない。本明細書で使用されるように、単数形「ａ」、「ａｎ」、および「ｔｈｅ」は、コンテキストが別の方式で明確に示していないのであれば、複数形も同様に含むことが意図されている。さらに、「備える」、「備えている」、「含む」、および／または、「含んでいる」という用語は、本明細書で使用される場合、述べられた機能、完全体、ステップ、演算、要素、および／または、構成要素の存在を明記するが、１つまたは複数の他の機能、完全体、ステップ、演算、要素、構成要素、および／または、これらのグループの存在または追加を排除しないことが理解されるであろう。
【００４０】
いくつかの代替的な実施では、示された機能／動作は、図面に示された順序を外れて起こり得ることもまた着目されるべきである。たとえば、連続して図示されている２つの図面は、実際には、実質的に同時に実行され得るか、または、含まれている機能／動作に依存して、しばしば逆の順序で実行され得る。
【００４１】
別の方式で定義されていないのであれば、本明細書で使用されるすべての用語（技術的および科学的な用語を含む）は、例示的な実施形態が属する技術分野における通常の熟練者によって一般的に理解されるものと同じ意味を有する。たとえば、一般に使用される辞書で定義されているような用語は、関連技術のコンテキストにおけるそれらの意味と一貫した意味を有するものとして解釈されるべきであり、本明細書においてそのように明確に定義されていないのであれば、理想的または過度に堅苦しい意味で理解されることはないであろうことがさらに理解されるであろう。
【００４２】
例示的な実施形態および対応する詳細な説明の一部分は、コンピュータ・メモリ内のデータ・ビットに対する演算のソフトウェアまたはアルゴリズムおよびシンボル表示に関して表される。これらの記載および表示は、当該技術分野における通常の熟練者が、当該技術分野における他の通常の熟練者に対して、自らの成果の実質を効率的に伝えるものである。本明細書においてそのような用語で使用され、一般にもそのように用いられるようなアルゴリズムは、所望の結果に至る自己完結したステップのシーケンスであると考えられる。これらのステップは、物理量の物理的な操作を必要とするものである。通常、これらの量は、必ずしも必要ではないが、記憶、転送、結合、比較、および別の方式で操作されることが可能な光、電気、または磁気の信号の形態をとる。これら信号を、ビット、値、要素、シンボル、キャラクタ、項、または数字等と称することは、しばしば、主に一般的な利用の理由から便利であることが証明されている。
【００４３】
以下の記載では、例示的な実施形態は、特定のタスクを実行、または特定の抽象的なデータ・タイプを実施するルーチン、プログラム、オブジェクト、構成要素、データ構造等を含む機能処理、またはプログラム・モジュールとして実現され得、かつ、既存のネットワーク要素または制御ノードにおいて既存のハードウェアを用いて実現され得る、（たとえば、フローチャートの形態での）動作および演算のシンボル表示を参照して記載されるであろう。
【００４４】
そのような既存のハードウェアは、１つまたは複数の中央処理装置（ＣＰＵ）、デジタル信号プロセッサ（ＤＳＰ）、特定用途向け集積回路、またはフィールド・プログラム可能なゲートアレイ（ＦＰＧＡ）コンピュータ等を含み得る。
【００４５】
特に別の方式で述べられていないのであれば、または、議論から明白なように、「処理すること」または「コンピューティング」または「計算すること」または「判定すること」または「表示すること」等のような用語は、コンピュータ・システムのレジスタおよびメモリ内において物理的な電子量として表されるデータを操作し、コンピュータ・システム・メモリまたはレジスタまたは他のそのような情報記憶デバイス、送信デバイス、またはディスプレイ・デバイス内の物理量として同様に表される他のデータへ変換するような、コンピュータ・システムまたは類似の電子コンピューティング・デバイスの動作および処理を称する。
【００４６】
本明細書で開示されるように、「記憶媒体」、「記憶ユニット」、または「コンピュータ読取可能な記憶媒体」という用語は、読取専用メモリ（ＲＯＭ）、ランダム・アクセス・メモリ（ＲＡＭ）、磁気ＲＡＭ、コア・メモリ、磁気ディスク記憶媒体、光記憶媒体、フラッシュ・メモリ・デバイス、および／または、情報を記憶するためのその他の有形のマシン読取可能な媒体を含むデータを記憶するための１つまたは複数のデバイスを表し得る。「コンピュータ読取可能な媒体」という用語は、限定されないが、ポータブルまたは据置式の記憶デバイス、光記憶デバイス、および、命令および／またはデータを記憶、包含、または伝送することが可能なその他の様々な媒体を含み得る。
【００４７】
さらに、例示的な実施形態は、ハードウェア、ソフトウェア、ファームウェア、ミドルウェア、マイクロコード、ハードウェア記述言語、またはそれらの任意の組合せによって実現され得る。ソフトウェア、ファームウェア、ミドルウェア、またはマイクロコードで実現される場合、必要なタスクを実行するプログラム・コードまたはコード・セグメントは、コンピュータ読取可能な記憶媒体のようなマシンまたはコンピュータ読取可能な媒体に記憶され得る。ソフトウェアで実現される場合、プロセッサまたは複数のプロセッサが、必要なタスクを実行するであろう。
【００４８】
プロセッサおよびメモリは、装置機能を実行するために共に動作し得る。たとえば、メモリは、装置機能に関するコード・セグメントを記憶し得る。一方、コード・セグメントは、プロセッサによって実行され得る。さらに、メモリは、プロセッサによる使用のためのプロセス変数および定数を記憶し得る。
【００４９】
コード・セグメントは、手順、関数、サブプログラム、プログラム、ルーチン、サブルーチン、モジュール、ソフトウェア・パッケージ、クラス、あるいは命令、データ構造、またはプログラム文の任意の組合せを表し得る。
【００５０】
コード・セグメントは、情報、データ、引数、パラメータ、またはメモリ・コンテンツの引き渡しおよび／または受け取りを行うことによって、別のコード・セグメントまたはハードウェア回路に結合され得る。情報、引数、パラメータ、データ等は、メモリ共有、メッセージ引き渡し、トークン引き渡し、ネットワーク送信等を含む任意の適切な手段によって引き渡し、転送、または送信され得る。
【００５１】
本明細書で使用されるように、「ユーザ機器」または「ＵＥ」という用語は、ユーザ機器、移動局、モバイル・ユーザ、アクセス端末、モバイル端末、ユーザ、加入者、ワイヤレス端末、端末および／または遠隔局に対する同意語であり得る。そして、この用語はワイヤレス通信ネットワークにおけるワイヤレス・リソースの遠隔ユーザを説明し得る。したがって、ＵＥは、ワイヤレス電話、ワイヤレス装備されたラップトップ、ワイヤレス装備された機器等であり得る。
【００５２】
「基地局」という用語は、１つまたは複数のセル・サイト、基地局、ｎｏｄｅＢ、エンハンストＮｏｄｅＢ、アクセス・ポイント、および／または、ラジオ周波数通信の任意の終端として理解され得る。現在のネットワーク・アーキテクチャは、モバイル／ユーザ・デバイスとアクセス・ポイント／セル・サイトとの間の区別を考慮し得るが、以下に記載される例示的な実施形態は、一般に、たとえばアド・ホックおよび／またはメッシュ・ネットワーク・アーキテクチャのように、その区別がそんなに明確ではないアーキテクチャにも適用可能であり得る。
【００５３】
基地局からＵＥへの通信は、典型的に、ダウンリンクまたは順方向リンク通信と呼ばれる。ＵＥから基地局への通信は、典型的に、アップリンクまたは逆方向リンク通信と呼ばれる。
【００５４】
図１は、例示的な一実施形態に従うワイヤレス・デバイスのためのネットワーク１００を例示する。ネットワーク１００は、基地局１１０、サービス提供ゲートウェイ１１５、パケット・データ・ネットワーク（ＰＤＮ）ゲートウェイ１２０、サービス提供汎用パケット・ラジオ・サービス（ＧＰＲＳ）サポート・ノード（ＳＧＳＮ）１３０、モビリティ管理エンティティ（ＭＭＥ）１３５、ホーム加入者サーバ（ＨＳＳ）１４０、およびポリシー制御および課金規則機能（ＰＣＲＦ）１４５を含む。基地局１１０は、たとえば、ｅＮｏｄｅＢまたはラジオ・ネットワーク・コントローラ（ＲＮＣ）であり得る。基地局１１０、サービス提供ゲートウェイ１１５、パケット・データ・ネットワーク（ＰＤＮ）ゲートウェイ１２０、ＳＧＳＮ  １３０、モビリティ管理エンティティ（ＭＭＥ）１３５、ホーム加入者サーバ（ＨＳＳ）１４０、およびポリシー制御および課金規則機能（ＰＣＲＦ）１４５の各々は、装置機能を実行するために共に動作する１つまたは複数のプロセッサ、および関連付けられたメモリを含む。
【００５５】
ネットワーク１００は、基地局１１０を経由して１つまたは複数のワイヤレス・デバイス１０５と通信する。ネットワーク１００は、ＰＤＮゲートウェイ１２０およびＰＣＲＦ  １４５を経由して１つまたは複数のオペレータＩＰサービス１５０と通信する。サービス提供ゲートウェイ１１５およびＰＤＮゲートウェイ１２０は、結合された１つのゲートウェイ１２５へと結合され得る。
【００５６】
ネットワーク１００は、エボルブド・ユニバーサル地上ラジオ・アクセス・ネットワーク（Ｅ−ＵＴＲＡＮ）またはユニバーサル地上ラジオ・アクセス・ネットワーク（ＵＴＲＡＮ）に接続されたエボルブド・パケット・コア（ＥＰＣ）ネットワークであり得る。
【００５７】
ロング・ターム・エボルーション（ＬＴＥ）は、将来の要件に対処するためにユニバーサル・モバイル・テレコミュニケーション・システム（ＵＭＴＳ）規格を改良するためのプロジェクトに与えられた名称である。１つの態様では、ＵＭＴＳは、第４世代（４Ｇ）ワイヤレス・ネットワークとしてＥ−ＵＴＲＡＮのために提供されるように修正されている。
【００５８】
知られているように、Ｅ−ＵＴＲＡＮは、シグナリングおよびデータ送信のためにアップリンク（ＵＬ）チャネルおよびダウンリンク（ＤＬ）チャネルを提供し得る。たとえば、ブロードキャスト制御チャネル（ＢＣＣＨ）、物理アップリンク制御チャネル（ＰＵＣＣＨ）、物理アップリンク共有チャネル（ＰＵＳＣＨ）、物理ダウンリンク制御チャネル（ＰＤＣＣＨ）、および物理ダウンリンク共有チャネル（ＰＤＣＣＨ）等のためのチャネル。
【００５９】
一般に、基地局１１０、サービス提供ゲートウェイ１１５、パケット・データ・ネットワーク（ＰＤＮ）ゲートウェイ１２０、サービス提供汎用パケット・ラジオ・サービス（ＧＰＲＳ）サポート・ノード（ＳＧＳＮ）１３０、モビリティ管理エンティティ（ＭＭＥ）１３５、ホーム加入者サーバ（ＨＳＳ）１４０、およびポリシー制御および課金規則機能（ＰＣＲＦ）１４５は、当該技術分野における熟練者に知られている。したがって、以下の例示的な実施形態を除いて、図１の要素は、簡潔さのために、さらに説明されないであろう。
【００６０】
図２は、接続モードに関して３ＧＰＰ  ＴＲ  ２３．８８７（および３ＧＰＰ  ＴＳ  ２３．４０１セクション５．３４）に記載されたようなサービス要求手順を例示する。図２では、基地局１１０は、基地局１１０とＳ−ＧＷ／Ｐ−ＧＷ  １２５との間に接続モード・ベアラを、基地局１１０とＭＭＥ  １３５との間に制御プレーン接続を確立する。Ｓ２００において、ＵＥ  １０５が基地局１１０へランダム・アクセス・プリアンブルを送信する。基地局１１０は、Ｓ２０５において、応答を送信する。Ｓ２１０において、ＵＥ  １０５が、ラジオ・リソース制御（ＲＲＣ）接続要求を送信する。基地局１１０は、Ｓ２１５において、ＲＲＣ接続セットアップを送信することにより、この要求に応答する。
【００６１】
Ｓ２２０において、ＵＥ  １０５が、ＲＲＣ接続セットアップをアクノレッジし、サービスを要求する。基地局１１０は、Ｓ２２５において、このサービス要求をＭＭＥ  １３５へ送信し、ＭＭＥ  １３５は、Ｓ１−ＭＭＥ制御プレーン接続確立を開始する。基地局１１０はまた、Ｓ２３０において、ＲＲＣ接続を再設定し得る。Ｓ２４０において、ＵＥ  １０５が、再設定が完了したとのアクノレッジメントを、基地局１１０へ送信し得る。
【００６２】
Ｓ２３５において、ＭＭＥ  １３５は、初期コンテキスト・セットアップ要求を送信する。たとえば、このセットアップ要求は、セキュリティ鍵およびラジオ能力を識別する。Ｓ２３５において、基地局１１０は、ＭＭＥ  １３５（ＭＭＥ  １３５は、ネットワーク制御エンティティとしても知られ得る）から、トンネル識別子（たとえば、ゲートウェイ・トンネル識別子）を含むベアラ情報を受信する。
【００６３】
たとえば、基地局１１０は、ＭＭＥ  １３５からＳ１−ＭＭＥ  ＵＥ初期コンテキスト・セットアップ要求メッセージを受信し得る。このメッセージは、サービス提供ゲートウェイ１１５アドレス、エボルブド・パケット・システム（ＥＰＳ）ベアラのためのゲートウェイ・トンネル・エンドポイントＩＤ（ＴＥＩＤ）を含み得る。
【００６４】
基地局１１０は、トンネル識別子（たとえば、ゲートウェイ・トンネル識別子）を記憶し、基地局トンネル識別子および基地局識別子（たとえば、基地局ＩＰアドレス）を割り当てて、記憶する。
【００６５】
Ｓ２４５において、基地局１１０は、セットアップ要求に基づいてＵＥ  １０５へ、セキュリティ・モード・コマンドを発行する。Ｓ２５０において、ＵＥ  １０５は、セキュリティ・モードが完了したとのアクノレッジメントを基地局１１０へ送信する。
【００６６】
Ｓ２６０において、基地局１１０は、ＵＥ  １０５に、ＲＲＣ接続再設定を送信することにより、ラジオ・ベアラをセットアップする。ＵＥ  １０５は、Ｓ２６５において、基地局１１０へアクノレッジメントを送信することにより、ベアラ・セットアップを完了する。たとえば、ＭＭＥ  １３５から受信された初期ＵＥコンテキスト・セットアップ要求メッセージに応じて、基地局１１０は、ラジオ・ベアラを確立し得る。基地局１１０は、３ＧＰＰ  ＴＳ  ２３．４０１により詳細に記載されたラジオ・ベアラ確立手順を実行し得る。
【００６７】
Ｓ２６５において、ＵＥ  １０５と基地局１１０との間のデータ・ラジオ・ベアラ（ＤＲＢ）が確立される。Ｓ２７０において、基地局１１０は、ＭＭＥ  １３５に、初期コンテキスト・セットアップ要求に対する応答を送信する。Ｓ２７５において、ＭＭＥ  １３５は、Ｓ−ＧＷ／Ｐ−ＧＷ  １２５へ修正ベアラ要求を送信する。修正ベアラ要求メッセージは、通常、デバイス１０５のために再アクティブ化される各ベアラに関する情報と、各ベアラのための基地局１１０  ＴＥＩＤとを含む。ベアラは、パケットが基地局１１０からサービス提供ゲートウェイ１１５へ、または、その代わりに、結合されたゲートウェイ１２５へ送信されるトンネル・エンドポイント識別子によって暗黙的に識別され、これによって、基地局伝送アドレスおよびＴＥＩＤのみが、第１のアップリンク・データ・パケットに含まれ得る。
【００６８】
Ｓ２８０において、ＵＥ  １０５は、基地局１１０へデータ・パケットを転送する。基地局１１０はその後、Ｓ１トンネルを介してＳ−ＧＷ／Ｐ−ＧＷ  １２５へデータを転送する。Ｓ２９０において、Ｓ−ＧＷ／Ｐ−ＧＷ  １２５は、修正されたベアラ応答を送信し、その後、Ｓ２９５において、任意のダウンリンク・データ・パケットの基地局１１０への送信を開始し得る。基地局１１０はその後、Ｓ２９７において、ＵＥ  １０５へダウンリンク・データ・パケットを転送する。
【００６９】
図２は、３ＧＰＰ  ＴＲ  ２３．８８７にさらに記載されている。したがって、簡潔さのために、図２は、さらに詳細には記載されないであろう。
【００７０】
図３は、無接続モードのため３ＧＰＰ  ＴＲ  ２３．８８７に記載されているようなサービス要求手順を例示する。
【００７１】
Ｓ３００において、ＵＥ  １０５は、ラジオ・リソース制御（ＲＲＣ）接続要求を送信する。基地局１１０は、Ｓ３０５において、ＲＲＣ接続セットアップを送信することにより、この要求に応答する。ＲＲＣ接続セットアップは、シグナリング・ラジオ・ベアラ（ＳＲＢ１）設定を含んでいる。
【００７２】
Ｓ３１０において、ＵＥ  １０５は、接続セットアップをアクノレッジし、無接続モードを開始するために接続Ｉｄおよびトークンを含める。その後、基地局１１０は、Ｓ３１５においてＲＲＣ接続を再設定する。ＲＲＣ接続は、無接続モードのためデータ・ラジオ・ベアラ（ＤＲＢ）を設定する。ＵＥ  １０５は、Ｓ３２０において、再設定をアクノレッジする。
【００７３】
Ｓ３２５において、ＵＥ  １０５は、基地局１１０へデータを送信する。基地局１１０は、その後、Ｓ３３０において、このデータをＳ−ＧＷ  １１５へ転送し、ＧＴＰ−Ｕヘッダに、基地局ＤＬ  ＴＥＩＤを含める。このデータはＳ１トンネルを介してＳ−ＧＷ  １１５へ転送される。Ｓ３３５において、Ｓ−ＧＷ  １１５は、このデータをＰ−ＧＷ  １２０へ送信する。ＵＥ  １０５からデータが送信されることに応じて、Ｐ−ＧＷ  １２０は、Ｓ３４０において、アップリンク・データおよびペンディング・ダウンリンク・データへの応答を、Ｓ−ＧＷ  １１５へ送信する。Ｓ３４５において、Ｓ−ＧＷ  １１５は、このデータを、Ｓ３３０において受信された基地局ＤＬ  ＴＥＩＤを用いて基地局１１０へ転送する。基地局１１０は、Ｓ３５０においてＵＥにこのデータを提供する。
【００７４】
図３は、３ＧＰＰ  ＴＲ  ２３．８８７にさらに記載されている。したがって、簡潔さのために、図３は、さらに詳細には記載されないであろう。
【００７５】
ダウンリンク
図４は、例示的な一実施形態に従う無接続モードから接続モードへの切り換えの方法を例示する。図４の方法は、ネットワーク１００によって実行され得る。
【００７６】
一般に、ＵＥがアイドル（ＥＣＭ−アイドル・モード）であり、ダウンリンク（ＤＬ）データが、ＵＥのためのＳ−ＧＷに到着するのであれば、Ｓ−ＧＷは、ダウンリンク・データ通知（ＤＤＮ）メッセージをＭＭＥへ送信する。その後、ＭＭＥは、ＵＥが登録されているトラッキング・エリア内の基地局の各々へページ要求を送信する。トラッキング・エリアは、多数のセルを含み得る。
【００７７】
ベアラが元々生成されている場合（たとえば、ＵＥがネットワークにアタッチしている場合）、ＭＭＥは、生成されたどのベアラが無接続データ送信モードを使用し得るのかを判定する。判定されると、ＭＭＥは、ベアラを生成している場合、ＳＧＷへの要求の中にこれを示すインジケーションを含める。ＳＧＷは、ＳＧＷがＵＥのために有しているコンテキストの中にこれを記憶する。
【００７８】
図３において確立されたように、ＵＥが、無接続モードにおいてアクティブであり、ＵＥに割り当てられた無接続ベアラのうちの１つを介してデータを送信しており、無接続送信を許可されていないベアラのうちの１つで、ＵＥのためのＤＬデータがＳ−ＧＷに到着したのであれば、ＵＥおよびネットワークは、接続モードに移行する。
【００７９】
図４の方法は、無接続モードでＵＥにサービス提供している基地局識別情報に関し、Ｓ−ＧＷが有している知識を活用する。
【００８０】
Ｓ４００において、Ｓ−ＧＷは、ＵＥのためのＤＬデータを受信する。無接続送信を許可されていないベアラのためのＤＬデータを受信すると、Ｓ−ＧＷは、Ｓ４０５において、サービス提供基地局識別情報を含むダウンリンク・データ通知（ＤＤＮ）メッセージをＭＭＥへ送信する。
【００８１】
Ｓ−ＧＷは、無接続ベアラに関連付けられた任意の新たなＤＬデータを含むＵＥのためのすべてのＤＬデータを、接続モードへの移行が完了するまでバッファする。
【００８２】
Ｓ４１０において、ＭＭＥは、ＤＤＮメッセージ内で識別された基地局のみにページ要求を発行する。ＭＭＥは、基地局が接続モードへの移行を開始するために、基地局が、ページ要求を、ＵＥの無接続送信に関連付けることを可能にするために、ＴＲ  ２３．８８７における無接続ソリューションに記載された、ターゲットＵＥを識別するクッキーを含んでいる。クッキーは、ＵＥがネットワークに結合されている間、ＵＥ識別情報を表す。
【００８３】
基地局が、（ＵＥ識別情報を表す）クッキーと共にページ要求を受信した場合、基地局は、このページ要求を、ＵＥのための無接続セッションに相関付ける（すなわち、ＲＲＣシグナリング接続が、無接続モードにおけるデータ送信のために確立される）。相関付けられると、基地局は、ＵＥを無接続モードから接続モード・セッションへ移行させるための手順を開始する。これは、Ｓ４１５における接続モード・ベアラの確立を含む。接続モードでは、ＭＭＥへのＳ１−ＭＭＥ制御プレーン接続があり、接続モードでのハンドオーバがサポートされているので、基地局は、その後、ハンドオーバのためにＵＥ測定においてレポートされたラジオ状態を評価する。
【００８４】
１つの実施形態では、基地局は、無接続ベアラ（および関連付けられたＲＲＣシグナリング接続）を解放するためのインジケーションをＵＥへ送信し、接続モードでのデータ送信のために、新たなＲＲＣシグナリング接続を開始する。接続モードへ移行する必要性をシグナルする新たな追加情報を備え、ＲＲＣシグナリング接続解放要求の形態をとり得るこのインジケーションは、基地局がページ要求をブロードキャストするための必要性の代わりとなる。なぜなら、基地局は、ＵＥへ割り当てられた既存のシグナリング・ラジオ・ベアラを介してこのインジケーションを送信し得るからである。
【００８５】
ＵＥは、このインジケーションを受信すると、既存のＲＲＣシグナリング接続を解放し、ＲＲＣ接続手順を開始する。たとえば、ＵＥは、接続モード・ベアラ経路を確立するために、図２に図示されるＲＲＣ手順を開始し得る。
【００８６】
無接続モードのために使用される既存のシグナリング接続をティア・ダウンすることによって、および、接続指向データ送信のため新たなＲＲＣシグナリング接続を確立することによって、システム影響が低減され得る。ＲＲＣシグナリング接続の設定は、両モードにおいて、たとえば、異なるセキュリティ手順が使用されるなど、全く異なっており、ＵＥ測定が、接続指向モードのために開始されるべきである。
【００８７】
その結果、ＭＭＥからトラッキング・エリア内の他のすべての基地局へ多くのページ要求メッセージがなされる必要はなく、トラッキング・エリア全体におけるブロードキャスト・ラジオ・リソースが節約される。なぜなら、基地局は、ＵＥに対して、接続モードへ移行するように示すために、無接続データ送信に関連付けられたアクティブなシグナリング・ラジオ・ベアラを用いるからである。
【００８８】
別の実施形態では、ＵＥと基地局は、アクティベートされるべき接続モード・ベアラをアクティベートしている間、無接続ベアラ（およびＲＲＣシグナリング接続）を接続モード・ベアラへ変換する。
【００８９】
基地局がページ要求を受信する前に、ＵＥがたまたまアイドル・モードへ移行した場合、または、基地局が、クッキーに関連付けられたＵＥのためのアクティブな無接続セッションを発見しない場合、基地局は、従来のページング手順を実行する。ＵＥが、ページ要求に応答しないのであれば、ＭＭＥは、既存のページング手順を繰り返し、この時、トラッキング・エリア内のすべての基地局にページ要求を送信する。
【００９０】
アップリンク
ＵＥが無接続モードにおいてアクティブであり、ＵＥに割り当てられた無接続ベアラのうちの１つによってデータを送信しており、その後、ＵＥ上の別のアプリケーションが、無接続送信を許可されていないベアラのためのアップリンク・データ（ＵＬ）データ送信を開始しているのであれば、ＵＥおよびネットワークは、接続モードに移行する。
【００９１】
ベアラが最初に生成された場合、無接続モードにおいて許可されているのであれば、接続ｉｄおよびトークンが、ベアラのために生成される。ＵＥは、接続ｉｄおよびトークンを記憶する。接続ｉｄおよびトークンがない場合、ＵＥは、接続モードが使用されるべきであることを知っている。
【００９２】
１つの実施形態では、無接続送信のためのＲＲＣシグナリング接続が解放され、接続モードのため新たなＲＲＣシグナリング接続が確立される。ＵＥは、ＵＥ内のローカルな既存のＲＲＣシグナリング接続の解放を開始し得る。解放が完了した場合、ＵＥは、図２に記載されるような接続モードのための新たなＲＲＣシグナリング接続の確立を開始する。
【００９３】
別の実施形態では、ＵＥは、基地局へＲＲＣ解放要求を送信することにより、既存のＲＲＣシグナリング接続の解放を要求する。その要求は、ＵＥが接続モードへの移行を要求していることを基地局に通知する。基地局は、この要求を受信すると、ＤＬのケースにおけるように、接続モードに移行する。基地局は、無接続ベアラ（および関連付けられたＲＲＣシグナリング接続）を解放する。基地局はまた、移行が完了するまで、任意のさらなるＤＬデータをＳ−ＧＷがバッファするように、Ｓ−ＧＷに、この移行を通知する。基地局は、ＵＥのアクティブな無接続ベアラに関連付けられたＳ−ＧＷへトンネルを介して送信されたダミー・パケットのＧＴＰ−Ｕヘッダに、移行インジケーションを含めることによって、Ｓ−ＧＷに、この移行を通知し得る。
【００９４】
この解放手順に従って、ＵＥは、接続モードのためのＲＲＣ接続確立手順を開始する（たとえば、図２）。基地局は、無接続モード確立のＲＲＣ接続要求で受信されたＳＡＥテンポラリ・モバイル加入者識別情報（Ｓ−ＴＭＳＩ）ＵＥ識別子を保存する。ＲＲＣ接続要求が、接続モード確立のためにＵＥによって送信された場合、Ｓ−ＴＭＳＩが再び含められる。接続モード確立のために受信された場合、ＵＥに関連付けられた任意の残りの無接続セッション・リソースを基地局がクリアできるように、基地局は、接続モード要求を移行中のＵＥと相関付けるためにＳ−ＴＭＳＩを用いる。
【００９５】
別の実施形態では、無接続ベアラ（およびＲＲＣシグナリング接続）が最初に解放されていないのであれば、さらなる演算が実行され得、代わりに、ＵＥおよび基地局は、アクティベートされる必要のある接続モード・ベアラをアクティベートしている間、無接続ベアラ（およびＲＲＣシグナリング接続）を、接続モード・ベアラへ変換する。
【００９６】
例示的な実施形態は、ＬＴＥ／Ｅ−ＵＴＲＡＮに関して記載されているが、例示的な実施形態はまた、エボルブド・パケット・コア（ＥＰＣ）におけるＵＴＲＡＮにも適合する。ＵＴＲＡＮでは、ＲＡＮノードはＲＮＣであり、モビリティ管理機能エンティティはＳＧＳＮである。
【００９７】
図５Ａは、ＵＥ  １０５の例示的な実施形態を例示する。ＵＥ  １０５は、図５Ａに図示されていない機能を含み、図示されているこれら機能に限定されるべきではないこともまた理解されるべきである。
【００９８】
ＵＥ  １０５は、無接続モードから接続モードへ移行するように構成される。
【００９９】
ＵＥ  １０５は、たとえば、送信ユニット５１０、ＵＥ受信ユニット５２０、メモリ・ユニット５３０、処理ユニット５４０、およびデータ・バス５５０を含み得る。
【０１００】
送信ユニット５１０、ＵＥ受信ユニット５２０、メモリ・ユニット５３０、および処理ユニット５４０は、データ・バス５５０を用いて、互いにデータを送信および／または受信し得る。送信ユニット５１０は、たとえば、データ信号、制御信号、および、信号強度／品質情報を含むワイヤレス信号を、アップリンク（逆方向リンク）で、１つまたは複数のワイヤレス接続を介して、他のワイヤレス・デバイス（たとえば、基地局）へ送信するための任意の必要なソフトウェアおよびハードウェアを含むデバイスである。
【０１０１】
ＵＥ受信ユニット５２０は、たとえば、データ信号、制御信号、および、信号強度／品質情報を含むワイヤレス信号をダウンリンク（順方向リンク）チャネルで、１つまたは複数のワイヤレス接続を介して他のワイヤレス・デバイス（たとえば、基地局）から受信するための任意の必要なソフトウェアおよびハードウェアを含むデバイスである。
【０１０２】
ＵＥ受信ユニット５２０は、基地局１１０から情報を受信する。
【０１０３】
メモリ・ユニット５３０は、磁気ストレージ、フラッシュ・ストレージ等を含むデータを記憶することができる任意の記憶媒体であり得る。
【０１０４】
処理ユニット５４０は、データを処理することが可能な、たとえば、入力データに基づいて特定の演算を実行するように構成され、またはコンピュータ読取可能なコードに含まれる命令を実行することが可能なマイクロプロセッサを含む任意のデバイスであり得る。処理ユニット５４０は、既存のラジオ・リソース制御（ＲＲＣ）シグナリングが解放されるように、アプリケーションが、接続モードを必要とするアップリンク・データ送信を開始すると、無接続モードから接続モードへ移行するように構成される。無接続モードは、第１のベアラ経路を有し、接続モードは、第２のベアラ経路を有し、第１および第２のベアラ経路は、異なっており、両ベアラ経路は、移行が完了した後、接続モードにある。
【０１０５】
図５Ｂは、ＭＭＥ  １３５のようなネットワーク・エンティティの例示的な一実施形態を例示する。図５Ｂは、ＭＭＥ  １３５を記載するために使用されているが、ＳＧＳＮ  １３０のようなその他のネットワーク・エンティティが同様の構成を有し得ることが理解されるべきである。ＭＭＥ  １３５が、図５Ｂに図示されていない機能を含むことができ、図示されたこれら機能に限定されるべきではないことも理解されるべきである。
【０１０６】
図５Ｂを参照して示すように、ＭＭＥ  １３５は、たとえば、データ・バス５５９、送信ユニット５５２、受信ユニット５５４、メモリ・ユニット５５６、および処理ユニット５５８を含み得る。
【０１０７】
送信ユニット５５２、受信ユニット５５４、メモリ・ユニット５５６、および処理ユニット５５８は、データ・バス５５９を用いて互いにデータを送信および／または受信し得る。送信ユニット５５２は、たとえば、データ信号、制御信号、および、信号強度／品質情報を含むワイヤレス信号を、１つまたは複数のワイヤレス接続を介して、ワイヤレス通信ネットワーク１００内の他のネットワーク要素へ送信するための任意の必要なソフトウェアおよびハードウェアを含むデバイスである。
【０１０８】
受信ユニット５５４は、たとえば、データ信号、制御信号、および、信号強度／品質情報を含むワイヤレス信号を、ネットワーク１００内の他のネットワーク要素への１つまたは複数のワイヤレス接続を介して受信するための任意の必要なソフトウェアおよびハードウェアを含むデバイスである。
【０１０９】
メモリ・ユニット５５６は、磁気ストレージ、フラッシュ・ストレージ等を含むデータを記憶することが可能な任意のデバイスであり得る。メモリ・ユニット２５６は、事前スケジューリング、スケジュール済みデータの送信、および再送信をサポートするためのデータおよび制御信号のバッファリングおよび記憶のために使用される。
【０１１０】
処理ユニット５５８は、データを処理することが可能な、たとえば、入力データに基づいて特定の演算を実行するように構成され、またはコンピュータ読取可能なコードに含まれる命令を実行することが可能なマイクロプロセッサを含む任意のデバイスであり得る。
【０１１１】
たとえば、ユーザ機器（ＵＥ）が、第１のベアラ経路を有する無接続モードにあるのであれば、処理ユニット５５８は、現在ＵＥにサービス提供している基地局を特定する第１のメッセージをゲートウェイから受信し、このサービス提供基地局へページ要求を送信することができる。このページ要求は、ＵＥを特定し、サービス提供基地局に対して、ＵＥのための接続モードへの移行を開始するように指示する。接続モードは、ＵＥとネットワーク制御エンティティとの間の第２のベアラ経路を含み、第２のベアラ経路および第１のベアラ経路は異なっており、両ベアラ経路は、移行が完了した場合に、接続モードにある。
【０１１２】
したがって、例示的な実施形態が記載され、同じことが多くの方式で変形され得ることが明らかになるであろう。そのようなバリエーションは、例示的な実施形態の精神および範囲からの逸脱として見なされることはなく、当該技術分野における熟練者に明らかになるであろうそのようなすべての変更が、請求項の範囲内に含まれるべきである。
【図１】
2016531469.tif 000002
【図２】
2016531469.tif 000003
【図３】
2016531469.tif 000004
【図４】
2016531469.tif 000005
【図５Ａ】
2016531469.tif 000006
【図５Ｂ】
2016531469.tif 000007
【国際調査報告】
2016531469.tif 000008
2016531469.tif 000009